(57)【要約】    【課題】  吐水具を小型化することができ、また、ウォーターハンマを低減させることのできる吐水具のワンストップ機構を提供すること。    【解決手段】  シャワーヘッド１の長手方向に向けて開口された弁口５２が、操作ボタン６０の操作により弁体３４が移動されることにより閉止されて、シャワーヘッド１からの吐水が一時的に停止される吐水具のワンストップ機構２０であって、樹脂製の弁体３４が筒状に形成されるとともに、操作ボタン６０の操作によってシャワーヘッド１の長手方向において弁体３４の軸方向に移動されて弁口５２を閉止可能に設けた。また、弁体３４に、弁口５２が閉止された状態において弁体３４よりも１次側の水圧を受ける切り欠き５３（受圧部）を設けた。    【選択図】    図１
2005131557.tif 000002
【特許請求の範囲】
【請求項１】
シャワーヘッド等の吐水具本体や吐水具に接続される継手内に設けられ、前記吐水具本体や継手の長手方向に向けて開口された弁口が、操作部の操作により弁体が移動されることにより閉止されて、吐水具からの吐水が一時的に停止される吐水具のワンストップ機構であって、
前記弁体は、筒状又は柱状に形成されるとともに、前記操作部の操作によって前記吐水具や前記継手の長手方向において前記弁体の軸方向に移動されて前記弁口を閉止可能に設けられたことを特徴とする吐水具のワンストップ機構。
【請求項２】
前記弁体が樹脂製であることを特徴とする請求項１に記載の吐水具のワンストップ機構。
【請求項３】
前記弁体が流路の一次側に移動されて前記弁口を閉止するように設けられるとともに、前記弁体には、前記弁口が閉止された状態において、前記弁体よりも１次側の水圧を受ける受圧部を備えたことを特徴とする請求項１又は２に記載の吐水具のワンストップ機構。
【発明の詳細な説明】
【技術分野】
【０００１】
本発明は、吐水具の吐止水をワンタッチの操作で行える吐水具のワンストップ機構に関する。
【背景技術】
【０００２】
従来、例えば手持ち式のシャワーヘッドなどの吐水具において、水栓本体に取り付けられた吐止水ハンドルの操作とは別に、吐水具自体等に設けられて吐水具を持った手元でそのまま吐止水を操作することのできる吐水具のワンストップ機構が知られている。このようなワンストップ機構には、従来、吐水具内の流路途中に設けられた弁口を、金属ボールからなる弁体により開閉するものが知られている。これを詳しく説明すると、図６に示すように、従来のワンストップ機構７０では、吐水具７２内の一次側流路と二次側流路との間に配設される開口部７４が形成されたシートパッキン７６と、このシートパッキン７６に隣接して配設される湾曲受面７８と、弁ケース８０内に収容されるとともにシートパッキン７６の開口部７４と湾曲受面７８とを往復移動可能なボール弁（弁体）８２と、弁ケース８０を往復移動させるプッシュボタンユニット８４とが備えられている。そして、このプッシュボタン８６を押動操作することにより、シートパッキン７６の開口部７４又は湾曲受面７８のいずれかに弁体８２が移動し開口部７４の開閉を行うものである。
【０００３】
また、弁ケース８０内に収容された弁体８２は、開口部７４を確実に閉止できるようにするためにスプリングにより開口部７４方向に付勢された状態で移動される。そこで、円滑に移動可能とするために弁体８２は球状に形成され、弁体８２が適度に転がることによって開口部７４と湾曲受面７８とに円滑に移動されるように設けられている。また、弁体８２が球状に形成されており移動に伴い転がるため、弁体８２の一定の部位が常に弁口を閉止するシール面となるわけではない。そこで、弁体８２がどの部位で弁口を閉止しても弁口を確実にシールできるようにするために、バリなどを研磨により除去しやすいＳＵＳなど金属製のボール弁８２を用いることとしていた（例えば、特許文献１参照。）。
【０００４】
【特許文献１】特開平１１−１０４５２４号公報（図１）
【発明の開示】
【発明が解決しようとする課題】
【０００５】
上記した従来のワンストップ機構７０では、吐水具７２の幅方向において弁体８２を往復移動させることにより開口部７４（弁口）を開閉するため、弁口７４開閉動作のための空間を吐水具７２の幅方向に必要とする。したがって、この開閉動作のための空間の分だけ吐水具７２の幅方向が大きくならざるを得ないという問題が生じていた。また、弁体８２が金属製であるため、プッシュボタン８６の操作感が重くなり操作性が良好でないという問題もあった。そして、吐水流量を大きくしようとすると弁体８２が大きくなり、このために弁体８２の移動距離が長くなり、また弁体８２の重さも一層重くなるため、特に問題となっていた。
【０００６】
また、上記のワンストップ機構７０では、シートパッキン７６の開口部７４に弁体８２の一部がはまりこむようにして弁口７４が閉止されるように設けられていること、及び、弁体８２の一次側の水圧により、弁体８２が弁口７４を閉止する際には弁体８２がシートパッキン７６の開口部７４に落ち込むようにして流路を閉止することになる。よって、このようなワンストップ機構７０を用いると止水が急激となり、止水時のウォーターハンマー（水撃）が大きくなりやすいという問題があった。
【０００７】
本発明は上記した従来の吐水具のワンストップ機構の問題点を解消するものであり、吐水具を小型化することができる吐水具のワンストップ機構の提供を目的とする。また、ウォーターハンマを低減させることのできる吐水具のワンストップ機構の提供も目的とする。また、特に請求項２のワンストップ機構では、操作部の操作性を向上させることも目的とする。また、さらに特に請求項３の吐水具のワンストップ機構では、異常な高水圧による吐水具の損傷を防止することも目的とする。
【課題を解決するための手段】
【０００８】
以上の課題を解決するために、本発明の採った手段を以下に説明する。本発明の吐水具のワンストップ機構は「シャワーヘッド等の吐水具本体や吐水具に接続される継手内に設けられ、前記吐水具本体や継手の長手方向に向けて開口された弁口が、操作部の操作により弁体が移動されることにより閉止されて、吐水具からの吐水が一時的に停止される吐水具のワンストップ機構であって、前記弁体は、筒状又は柱状に形成されるとともに、前記操作部の操作によって前記吐水具や前記継手の長手方向において前記弁体の軸方向に移動されて前記弁口を閉止可能に設けられたことを特徴とする吐水具のワンストップ機構。」（請求項１）である。
【０００９】
本発明の吐水具のワンストップ機構は、筒状又は柱状の弁体を用い、この弁体を移動させることにより弁口を閉止可能に設けたものである。筒状の弁体の場合には、その内部を流路として開口部のいずれかを弁口とし、弁体とは別個の弁座に弁体を圧着して弁口を閉止する。また、柱状の弁体の場合には、弁座側に弁口を開口しておき、柱状の弁体をこの弁座に圧着して弁座の弁口を閉止する。また、上記何れの弁体の場合においても、弁体より流路一次側に弁座を設けて弁体を流路一次側に移動させて弁口を閉止するものとしても良く、あるいは、弁体より流路二次側に弁座を設けて弁体を流路二次側に移動させて弁口を閉止するものとしても良い。
【００１０】
弁体が筒状又は柱状に設けられるとともに、この弁体が吐水具の長手方向に移動されるだけなので、吐水具の幅方向においては、弁口開閉のために弁体が移動する空間を特に必要としない。よって、吐水具の幅方向において吐水具を小さくすることができる。一方、吐水具の長手方向においては、通常、弁口開閉のために弁体が移動する程度の空間を確保するには充分に長く形成されているので、既存の吐水具の長さを変更する必要はない。よって、ワンストップ機構を備えた吐水具の全体をコンパクトにすることができる。また、吐水流量を大きくしたい場合においても、筒状の弁体の場合にはその内部の流路の径、すなわち弁体の径を大きくすれば足り、ボール弁を用いた場合のように弁口を大きくすることによりボール弁も大きくなり、このためにさらにボール弁の移動ストロークまで大きくなることはない。また、柱状の弁体の場合には弁座に設けられる弁口とともに弁体の径を大きくすれば足りる。よって、吐水具本体の幅を必要以上に大きくする必要はない。また、筒状又は柱状の弁体は、弁口の開口方向から移動されて弁口を閉止するので、ボール弁が弁口にはまりこむ際のように急激に弁口が閉止されることがなく、ウォーターハンマを低減させることができる。
【００１１】
「吐水具」は、例えば、シャワーヘッドや吐水口等の吐水を行うための水栓部品全般を言う。また、特に、ホースに接続されて所望の位置で使用することのできる手持ち式の吐水具に設けられるワンストップ機構に好適である。また、吐水具本体に設けることに限らず、ホースと吐水具本体とを接続する継手に設けるなど吐水具本体とは別の部位に設けても良い。また、「筒状」とは両端に開口部を有するものであれば円筒状や断面四角などでも良く、「柱状」とは円柱や角柱など、いずれも種々の形状を含む。
【００１２】
また上記した吐水具のワンストップ機構において、前記弁体を樹脂製とすることもできる（請求項２）。
【００１３】
上記した弁体では、弁口に圧着されるシール面は、弁体の全体のうち特定の部位に限定される。よって、球状の弁体のように外周面のいずれの部位もシール面となりうる場合と異なり、特定のシール面だけにバリ等が生じないように形成すれば足りる。よって、特に弁体の研磨を行う必要も無いので弁体を樹脂製としても支障がない。このように弁体を樹脂製とすることにより、金属製の弁体に比べて弁体を駆動するボタン等の操作部の操作感を軽くすることが可能となる。樹脂製とは例えばＰＯＭ、ＰＥＴ等の合成樹脂や天然樹脂の別を問わず、種々のものを含む。
【００１４】
また、上記したいずれかの吐水具のワンストップ機構において、前記弁体が流路の一次側に移動されて前記弁口を閉止するように設けられるとともに、前記弁体には、前記弁口が閉止された状態において前記弁体よりも１次側の水圧を受ける受圧部を備えられたものとすることとしても良い（請求項３）。
【００１５】
このように、弁体が流路一次側に移動されて弁口を閉止するように設けるとともに、このように弁口が閉止された状態において一次側の水圧を受ける受圧部を弁体に設けることにより、流路一次側に異常な高水圧が生じた場合には、この受圧部に受けた水圧により、例えば、弁体を付勢するスプリングの付勢力に抗して弁体が弁口開放側に移動され、一時的に流路一次側の湯・水を排出させて異常高水圧を下げることができる。 
【発明の効果】
【００１６】
本発明は上記のように構成されるので、吐水具を小型化することができる。また、ウォーターハンマを低減させることもできる。また、特に請求項２のワンストップ機構では、樹脂製の弁体により操作部の操作性を向上させることもできる。また、さらに特に請求項３の吐水具のワンストップ機構では、弁体の受圧部により異常な高水圧による吐水具の損傷を防止することもできる。
【発明を実施するための最良の形態】
【００１７】
次に、本発明の吐水具のワンストップ機構の実施の形態を図を参考にして詳細に説明する。図１及び図２に示すように、本発明のワンストップ機構２０は本発明の「吐水具」の一例であるシャワーヘッド１の本体部２に内蔵されるものである。このシャワーヘッド１は、図示しない水栓本体にホースを介して接続されており、水栓本体から供給される湯・水をそのヘッド部３の散水部４から吐出するものである。また、水栓本体に設けられた操作ハンドルの操作により吐止水及び散水の温度を調節することができる。
【００１８】
本ワンストップ機構２０は、かかる水栓本体の操作ハンドルの操作によりシャワーヘッド１に湯・水を供給している際に、流路を閉止して吐水を一時的に停止、又は再度開始するものであり、水栓本体の操作ハンドルの操作とは別に、シャワーヘッド１に設けられたワンストップ機構２０の操作により吐水を一時的に停止又は再度開始することができるようにすることにより、水栓本体の操作ハンドルを操作しなくとも、シャワーヘッド１使用中の使用者の手元において簡便・迅速に吐止水の操作を行うができるようにするものである。
【００１９】
ついで、一方がヘッド部３に連接されて他方がホースに接続される把持部５について説明する。把持部５は、シャワーヘッド１使用時に使用者が把持する部位であり、散水部４側に向かってわずかに緩やかに屈曲されたほぼ円筒状に形成されている。そして、その内部には、ホース側とヘッド部３側とを連通接続する流路６が設けられている。把持部５の中央付近からホース接続部７側までには、この流路６の一部を構成する内管７が取り付けられている。この内管７のヘッド部３側寄り端部は断面楕円形状のフランジ部８が形成されている。このフランジ部８先端には、フランジ部８と平面視同形状の楕円形状の弁押さえ９が装着されている。この弁押さえ９は平面視が楕円形状に形成されると共に、その中央に湯・水が流通される流通孔１０が開口されている。また、弁押さえ９の二次側面には、上下左右に突設された４つの突条１１が形成されている。そして、弁押さえ９のこの突条１１が設けられた側には、薄い円柱状の弁シール１２が取り付けられている。そしてさらに弁シール１２の先端側には、弁シール１２の先端側を係止するリング部材１３が介在されて、フランジ８、弁押さえ９、弁シール１２及びリング部材１３が、後述するジョイント１４の開口部１６内に挿嵌接続されている。水栓本体側から供給される湯・水は、内管７、フランジ部８内を流通され、弁押さえ９の各突条１１の間を通過するようにして弁シール１２の外側を回り込み、弁シール１２よりも二次側に流通されるように構成されている。
【００２０】
また、把持部５内部には、内管７の先端寄りからヘッド部３にかけて配設される筒状のジョイント１４が把持部５内に取付固定されている。ジョイント１４は、上記したように内管７のフランジ部８等をその開口部１６内に収容し、また、ガイド２２や弁体３４をその内部に収容している。ガイド２２は、ジョイント１４の開口部１６奥側に、後述するようにジョイント１４の長手方向に沿って往復移動可能に収容取り付けされている。ガイド２２は、図４にも示すようにほぼ円筒状に形成されており、その軸心方向中央付近にフランジ２４が周設されている。また、図１及び図２に示すように、このフランジ２４が設けられた部位のガイド２２内周面には、段部２６が形成されている。また、図２及び図４に示すように、ガイド部２２の上部であって、フランジ２４よりもヘッド部３側には、把持部５の幅方向の右側から左側にかけてヘッド部３方向に傾斜して形成された傾斜段部２８が設けられている。また、図４に示すように、この傾斜段部２８の両端付近には、後述するボール３２が嵌合する嵌合凹部３０ａ、ｂがそれぞれ形成されている。
【００２１】
また、図１及び図２に示すように、ジョイント１４のヘッド部３寄り開口内には、スリーブ３６が装着されている。スリーブ３６には、ジョイント１４奥端側に向けて開口され、弁体３４の一側側がその軸心方向に沿って摺動自在に収容される収容部３８が設けられている。この収容部３８は弁体３４の一側側外径より僅かに大きい内周面に形成されるとともに、その奥端には弁体３４の一側側端部が係止可能な段部４０が周設されており、ジョイント１４内で往復移動される弁体３４がこの段部４０に当接されて移動規制される。また、ジョイント１４のヘッド部３寄り外周面には、周溝４２が周設されており、ヘッド部３内の流路に連通接続される接続部４４から突設される係止突片４６の係止爪４８がこの周溝４２に係止されて、ジョイント１４と接続部４４が接続され、連通されている。
【００２２】
次いで、弁体３４について説明する。弁体３４はほぼ円筒状に形成されており、その軸心方向において、ガイド２２内を把持部５の軸心方向に沿って往復移動可能に取り付けられている。上記したように、弁体３４は、ヘッド部３側においてはスリーブ３６の段部４０にヘッド部側開口部５０が当接されるまで移動可能に設けられ、一方、内管７側においては弁口５２が弁シール１２に圧着されるまで移動可能に設けられている。また、弁口５２の端部外周面には、段部状に切り欠かれ弁口５２よりも流路の一次側に位置する切り欠き５３が形成されている。後述するが、この切り欠き５３が本発明に言う「受圧部」に相当する。さらにまた、弁体３４の外周面には周設された４つの突条３７が形成されている。
【００２３】
また、ガイド２２の内管７側には、ガイド２２のフランジ２４とジョイント１４の段部１５との間にスプリング５４が装着されており、ジョイント１４に対してガイド２２をヘッド部３側、すなわち弁シール１２とは反対側に付勢している。そしてさらに、突条３７と上述したガイド２２の段部２６との間にはスプリング５６が装着されており、ガイド２２に対して弁体３４を弁シール１２側に付勢している。
【００２４】
ついで、操作ボタン６０について説明する。操作ボタン６０は、把持部５を貫通するようにして、持部５の側面視両側にそれぞれの操作部６２，６４が突出されて取り付けられている。操作ボタン６０は、一方端部がほぼ楕円円筒状の操作部６２、６４が組み付けられて構成されている。これらの操作部のうち一方の操作部６４には、把持部５内に位置する部位に、把持部５の右側から左側に向けてヘッド部３側に傾斜する傾斜部６６が形成されている。また、把持部５右側寄りの傾斜部６６の端部には、ボール３２が収容される収容凹部６８が設けられている。
【００２５】
ついで、このようにして構成されたワンストップ機構２０の作用について説明する。水栓本体の操作ハンドルを操作することにより、ホースを介してシャワーヘッド１に湯・水が供給される。図１、図２及び図４(a)に示すように、操作部６４が押し込まれた状態では弁体３４は弁シール１２から離隔され弁口５２が開放された状態であるので、内管７から弁体３４内を経てヘッド部３の接続部４４を通って、湯・水が散水部４から吐出されることとなる。
【００２６】
弁口５２が開放された状態を詳しく説明すると、図４(a)に示すように、スプリング５４の付勢力により、ガイド２２はジョイント１４に対してヘッド部３側に付勢され、その傾斜段部２８が操作部６４の傾斜部６６に圧接されている。操作部６４を奥側まで押し込んだ状態では、傾斜部６６の収容凹部６８に収容されたボール３２が、傾斜段部２８の嵌合凹部３０のうち、弁シール１２寄りに位置する嵌合凹部３０ａに嵌合されて操作ボタン６０この状態に位置決めされる。また、このガイド２２に対して弁体３４は、弁シール１２側に弁体３４を付勢するスプリング５６を介して取り付けられているが、スプリング５６が伸張された状態であっても弁口５２が弁シール１２に圧着されない位置に弁体３４は取り付けられているので、操作部６４を押し込んだ状態で弁口５２は開放された状態となる。
【００２７】
この状態からもう一方の操作部６２を奥側に押し込むと、図３に示すようにスプリング５４の付勢力に抗してガイド２２が弁シール１２側に移動されて、ガイド２２とともに移動される弁体３４の弁口５２が弁シール１２に圧着されて弁口５２が閉止される。これを図４(b)も参照して詳しく説明すると、操作部６２を奥側に押すとボール３２の嵌合凹部３０ａへの嵌合が外れて傾斜段部２８に対して傾斜部６６がスライドするようにして移動される。傾斜段部２８と傾斜部６６との間にボール３２が介在されることによりスライドは円滑に行われる。操作部６２が押し込まれるにしたがい、傾斜段部２８に沿って傾斜部６６がガイド２２を弁シール１２側に押し、スプリング５４の付勢力に抗してガイド２２が弁シール１２側に移動し、ガイド２２とともに弁体３４も移動される。そして、操作部６２をさらに奥側まで押し込むと、弁口５２は弁シール１２に圧着された状態となり弁口５２は閉止される。この状態でボール３２がもう一方の嵌合凹部３０ｂに嵌合されて操作ボタン６０が再度位置決めされる。
【００２８】
このように、弁体３４の弁口５２の開閉操作においては、弁体３４はシャワーヘッド１の長手方向に移動されるだけであり、シャワーヘッド１の幅方向においては弁体３４の開閉ストロークのための空間は必要がない。よって、シャワーヘッド１の幅方向においてコンパクト化をはかることができる。一方で、シャワーヘッド１の長手方向においては、通常、弁体３４のような筒状の弁体を移動可能に収容するのにも十分な空間をあらかじめ備えているので、このような弁体３４を備えることとしても、その長手方向においてシャワーヘッド１が大型化することもない。また、シャワーヘッド１の吐水流量を大きくした場合でも、弁体３４の内径を大きくすれば良いので、シャワーヘッド１の幅方向の大型化の影響は考慮する必要がない。また、弁体３４のうち、弁シール１２に圧着される弁口５２側の開口端面のみについてバリ等が無いように仕上げれば良いので、従来技術のボール弁のように、その全外周面を研磨するなどの必要がない。よって、樹脂製の弁体３４とすることもできるので、これを駆動する操作ボタン６０等の操作部の操作感を軽くしてその操作性を向上させることもできる。
【００２９】
また、弁体３４は、操作部６２の操作によって弁シール１２側に移動されてその弁口５２が弁シール１２に圧着されるが、従来のボール弁を用いた機構等のようにボール弁が弁口に一気に落ち込むような動作をしないので、ウォーターハンマを低減させることができる。特に、本実施の形態のように弁体３４が弁シール１２と反対側に移動するように付勢するスプリング５４を用いている場合には、弁口５２閉止直前におけるスプリング５４の弾発力をあらかじめ適度に設定することにより、ウォーターハンマを極力低減させることができる。
【００３０】
また、上記したように弁口５２の端部外周面には「受圧部」に相当する切り欠き５３が設けられているので、弁口５２が閉止された状態で弁口５２よりも流路の一次側に異常な高水圧がかかった場合には、弁口５２が一時的に開放されて散水部４から湯・水を吐出させることができる。これを詳しく説明すると、図３に示すように、上記したように操作部６２を押し込んだ状態では、弁口５２は弁シール１２に圧着され弁口５２は閉止された状態とされているが、弁体３４の切り欠き５３には、流路の一次側の水圧がかかった状態となっている。一方で、弁体３４は、スプリング５６により弁シール１２側に付勢されており、一次側の水圧が正常であればスプリング５６の付勢力によって弁口５２が弁シール１２に圧着されるようにあらかじめ調節されている。しかしながら、弁口５２が弁シール１２に圧着された状態で弁口５２よりも一次側に異常な高水圧がかかると、切り欠き５３にかかる水圧により、スプリング５６の付勢力に抗して弁体３４がヘッド部３側に移動する。このようにして弁口５２が開放され湯・水が散水部４から排出されて弁口５２の一次側の水圧が正常な値に下がると、スプリング５６の付勢力が一次側の水圧に勝って再度弁口５２を閉止するように、弁体３４を弁シール１２側に移動させる。
【００３１】
なお、本発明は上記した実施の形態に限られるものではなく、本発明の趣旨の範囲内で種々の変更が可能である。例えば、本例のようにガイド２２の往復移動方向にほぼ直行して往復移動可能な操作ボタン６０を用いた機構によりガイド２２を往復移動させて弁体３４を弁シール１２に対して進退させるだけでなく、シャワーヘッド１の側面に設けられシャワーヘッド１の長手方向に沿ってスライド可能なスライドスイッチをガイド２２に連結することによりガイド２２を往復移動可能に設けても良い。また、弁体３４をソレノイド等を用いて電気的に駆動するなど、種々の手段を用いて筒状の弁体をシャワーヘッド１の長手方向に沿って往復移動させることとすれば良い。また、ガイド２２を省略して操作部により弁体３４を直接駆動するように構成することとしても良い。
【００３２】
また、本実施の形態では弁体３４が流路の一次側に移動して弁口５２を閉止するように弁シール１２を配設してあるが、逆に弁体３４の二次側、すなわち弁体３４のヘッド部３側に弁シール１２を配設して弁体３４がヘッド部３側に移動した場合に弁口５２が弁シール１２に圧着され弁口５２が閉止される構成とすることもできる。また、本実施の形態では円筒状の弁体３４としたが、例えば図５に示すように、柱状の弁体９０とするとともに、弁座９２に弁口９４を開口し、弁体９０がこの弁口９４内に埋没されて弁口９４を閉止するように構成することもできる。この弁体９０においては、弁体９０の先端面９５が弁口９４内に露呈されて「受圧部」となる。またこの例においては、弁体９０の周りに流路９６が設けられている。
【図面の簡単な説明】
【００３３】
【図１】本発明の実施の形態の吐水具のワンストップ機構の平面視一部破断面図である。
【図２】図１のワンストップ機構の側面視一部破断面図である。
【図３】シャワーヘッドからの吐水を一時停止した状態のワンストップ機構の平面視一部破断面図である。
【図４】吐止水状態を示すワンストップ機構の要部透視斜視図である。
【図５】別の吐水具のワンストップ機構の要部断面図である。
【図６】従来の吐水具のワンストップ機構の一部破断面図である。
【符号の説明】
【００３４】
１；シャワーヘッド、２；本体部、３；ヘッド部、４；散水部、５；把持部、６；流路、７；内管、８；フランジ部、９；弁押さえ、１０；流通孔、１１；突条、１２；弁シール、１３；リング部材、１４；ジョイント、１５；段部、１６；開口部、２０；ワンストップ機構、２２；ガイド、２４；フランジ、２６；段部、２８；傾斜段部、３０；嵌合凹部、３２；ボール、３４；弁体、３６；スリーブ、３７；突条、３８；収容部、４０；段部、４２；周溝、４４；接続部、４６；係止突片、４８；係止爪、５０；ヘッド部側開口部、５２；弁口、５３；切り欠き、５４；スプリング、５６；スプリング、６０；操作ボタン、６２，６４；操作部、６６；傾斜部、６８；収容凹部、７０；ワンストップ機構、７２；吐水具、７４；開口部、７６；シートパッキン、７８；湾曲受面、８０；弁ケース、８２；ボール弁、８４；プッシュボタンユニット、８６；プッシュボタン、９０；弁体、９２；弁座、９４；弁口、９５；先端面、９６；流路。
【図１】
2005131557.tif 000003
【図２】
2005131557.tif 000004
【図３】
2005131557.tif 000005
【図４】
2005131557.tif 000006
【図５】
2005131557.tif 000007
【図６】
2005131557.tif 000008